(57)【要約】【課題】電圧調整装置が配電線の無効電力を調整する動作を判別する作業の安全性及び作業効率を向上させることができる。【解決手段】第１電圧調整装置に配設された配電線の無効電力を調整するための第１素子が前記配電線に接続されるときに通電される第１回路の第１配線が内部に第１巻数で巻回されるとともに、第２電圧調整装置に配設された前記配電線の無効電力を調整するための第２素子が前記配電線に接続されるときに通電される第２回路の第２配線が内部に前記第１巻数とは異なる第２巻数で巻回され、前記第１素子及び前記第２素子が前記配電線に接続されているか否かを判別するべく、電流検出器が外側から前記第１配線及び前記第２配線を取り囲む形状を呈する環状管と、前記環状管の内部に巻回された前記第１配線及び前記第２配線の夫々の両端が導出される、前記環状管の内部に通じる開口と、を備える。【選択図】  図１
2012127926.tif 000002
【特許請求の範囲】
【請求項１】
第１電圧調整装置に配設された配電線の無効電力を調整するための第１素子が前記配電線に接続されるときに通電される第１回路の第１配線が内部に第１巻数で巻回されるとともに、第２電圧調整装置に配設された前記配電線の無効電力を調整するための第２素子が前記配電線に接続されるときに通電される第２回路の第２配線が内部に前記第１巻数とは異なる第２巻数で巻回され、前記第１素子及び前記第２素子が前記配電線に接続されているか否かを判別するべく、電流検出器が外側から前記第１配線及び前記第２配線を取り囲む形状を呈する環状管と、
前記環状管の内部に巻回された前記第１配線及び前記第２配線の夫々の両端が導出される、前記環状管の内部に通じる開口と、
を備えたことを特徴とする電流測定具。
【請求項２】
前記開口は、前記第１配線及び前記第２配線の夫々の一端が導出される第１開口と、前記第１配線及び第２配線の夫々の他端が導出される第２開口と、からなることを特徴とする請求項１に記載の電流測定具。
【請求項３】
前記第１開口及び前記第２開口を有し、且つ、前記第１開口及び前記第２開口の間が通じ、第３電圧調整装置に配設された前記配電線の無効電力を調整するための第３素子が前記配電線に接続されるときに通電される第３回路の第３配線が前記環状管の内部に巻回されずに前記第１開口及び前記第２開口から直接導出される連結管、を備え、
前記環状管及び前記連結管は、前記電流検出器が前記環状管及び前記連結管の外部から前記第１配線乃至前記第３配線を取り囲む形状を呈する
ことを特徴とする請求項２に記載の電流測定具。
【請求項４】
前記第１電圧調整装置は、前記第１素子がコンデンサからなる並列コンデンサ装置、又は、前記第１素子がリアクトルからなる分路リアクトル装置であり、
前記第２電圧調整装置は、前記第２素子がコンデンサからなる並列コンデンサ装置、又は、前記第２素子がリアクトルからなる分路リアクトル装置である
ことを特徴とする請求項１又は２に記載の電流測定具。
【請求項５】
前記第３電圧調整装置は、前記第３素子がコンデンサからなる並列コンデンサ装置、又は、前記第３素子がリアクトルからなる分路リアクトル装置である
ことを特徴とする請求項３に記載の電流測定具。
【発明の詳細な説明】
【技術分野】
【０００１】
本発明は、電流測定具に関する。
【背景技術】
【０００２】
一般的に、配電線の電圧は、配電線に接続された例えば工場の電気機器等の電力負荷から配電線に供給される無効電力（以下、電力負荷からの無効電力という）によって、電力負荷からの無効電力が無い場合より例えば低下する。  
配電線の無効電力を増減させて配電線の電圧を調整する電圧調整装置として、例えば特許文献１に開示される並列コンデンサ装置（以下、ＳＳＣという）が知られている。
【０００３】
ＳＳＣは、電圧計、複数のコンデンサ、及び複数のコンデンサ夫々に対応した複数のスイッチを含んで構成される。各コンデンサは、各コンデンサに対応した各スイッチを介して配電線に接続される。電圧計は、配電線における複数のコンデンサが接続された地点の近傍の電圧を測定するように配電線に接続される。  
ＳＳＣは、電圧計で計測された配電線の電圧の変化に応じて各コンデンサに対応した各スイッチをオンオフして配電線に接続されるコンデンサを調整し、配電線の無効電力を増減させて配電線の電圧を調整していた。
【先行技術文献】
【特許文献】
【０００４】
【特許文献１】特開２００７−６６７４号公報
【発明の概要】
【発明が解決しようとする課題】
【０００５】
特許文献１に開示されるＳＳＣが用いられた場合、配電線に供給される電力の力率を変電所で測定するときに、配電線の電圧を調整するために無効電力を投入するためのＳＳＣにおけるコンデンサと配電線との接続状態を把握することができない。そのため、配電線に接続された電気機器を動作させるための最適な電力を、変電所から配電線に供給することが困難であった。よって、配電線に供給される電力の力率を変電所で測定する際に、ＳＳＣにおけるコンデンサと配電線との接続状態を判別する必要があった。ＳＳＣにおけるコンデンサと配電線との接続状態を判別する場合、例えばＳＳＣにおける配電線に接続される高圧電線に電流計を取り付けて高圧電線を流れる電流を測定していた。しかし、高圧電線に電流計を取り付けるには人手に頼らざるを得ず、作業者は危険な作業を強いられていた。
【課題を解決するための手段】
【０００６】
前述した課題を解決する主たる本発明は、第１電圧調整装置に配設された配電線の無効電力を調整するための第１素子が前記配電線に接続されるときに通電される第１回路の第１配線が内部に第１巻数で巻回されるとともに、第２電圧調整装置に配設された前記配電線の無効電力を調整するための第２素子が前記配電線に接続されるときに通電される第２回路の第２配線が内部に前記第１巻数とは異なる第２巻数で巻回され、前記第１素子及び前記第２素子が前記配電線に接続されているか否かを判別するべく、電流検出器が外側から前記第１配線及び前記第２配線を取り囲む形状を呈する環状管と、前記環状管の内部に巻回された前記第１配線及び前記第２配線の夫々の両端が導出される、前記環状管の内部に通じる開口と、を備えたことを特徴とする電流測定具である。
【０００７】
本発明の他の特徴については、添付図面及び本明細書の記載により明らかとなる。
【発明の効果】
【０００８】
本発明によれば、電圧調整装置の高圧電線に電流計を取り付けることなく、電圧調整装置が配電線の無効電力を調整する動作を判別することができる。従って、上記動作を判別する作業の安全性及び作業効率を向上させることができる。
【図面の簡単な説明】
【０００９】
【図１】本発明の第１実施形態における電流測定具を示す斜視図である。
【図２】本発明の第１実施形態における配電設備を示す図である。
【図３】本発明の第１実施形態における電流測定具の内部に＋Ｙ方向へ向かって時計周りに巻回された状態で配設された、制御部配線を示す図である。
【図４】本発明の第１実施形態における電流測定具の内部に＋Ｙ方向へ向かって反時計周りに巻回された状態で配設された、制御部配線を示す図である。
【図５】本発明の第１実施形態における電流検出器が環状管の上側に取り付けられた状態の電流測定具を示す斜視図である。
【図６】本発明の第１実施形態における電流検出器が環状管と連結管との結合部分に取り付けられた電流測定具を示す斜視図である。
【図７】本発明の第２実施形態における配電設備を示す図である。
【発明を実施するための形態】
【００１０】
本明細書および添付図面の記載により、少なくとも以下の事項が明らかとなる。
【００１１】
[第１実施形態]
＝＝＝配電設備＝＝＝
図２は、本実施形態における配電設備を示す図である。  
配電系統１００は、配電線１、変電所４を備えて構成される。  
変電所４は、配電用変圧器Ｔｒを備えて構成される。配電用変圧器Ｔｒの一次側は送電線（不図示）に接続され、配電用変圧器Ｔｒの二次側は配電線１に接続される。配電線１には、負荷Ｒ１、ＳＳＣ（Step Switched Capacitor：並列コンデンサ装置）２が接続される。尚、ＳＳＣ２は、配電線１における例えば上流側のｂ地点に接続され、負荷Ｒ１は、配電線１における例えば下流側のａ地点に接続されるものとする。負荷Ｒ１は、例えば工場に設けられた電気機器である。負荷Ｒ１には、変電所４に設けられた配電用変圧器Ｔｒの二次側から配電線１を介して電力が供給される。ＳＳＣ２は、配電線１におけるＳＳＣ２が接続されるｂ地点の近傍の電圧に応じて、配電線１の電圧を調整するための無効電力が配電線１に供給されるように配電線１のｂ地点にコンデンサＣ１乃至Ｃ３を選択的に接続する装置である。尚、ＳＳＣ２の詳細については後述する。
【００１２】
＝＝＝ＳＳＣ＝＝＝
ＳＳＣ２は、配電線１におけるＳＳＣ２が接続されるｂ地点の近傍の電圧に応じて、配電線１の電圧を調整するための無効電力が配電線１に供給されるように配電線１のｂ地点にコンデンサＣ１乃至Ｃ３を選択的に接続する装置である。
【００１３】
ＳＳＣ２は、測定装置２１、制御装置２２、コンデンサＣ１乃至Ｃ３、スイッチＳＷ１乃至ＳＷ３、ＬＥＤ回路２３、２５、２７、スイッチ制御回路２４、２６、２８を備えて構成される。尚、コンデンサＣ１、スイッチＳＷ１、スイッチ制御回路２４が、本実施形態の電圧調整装置に相当する。コンデンサＣ２、スイッチＳＷ２、スイッチ制御回路２６が、本実施形態の電圧調整装置に相当する。コンデンサＣ３、スイッチＳＷ３、スイッチ制御回路２８が、本実施形態の電圧調整装置に相当する。
【００１４】
コンデンサＣ１乃至Ｃ３は夫々、例えば異なる容量のコンデンサである。尚、例えばコンデンサＣ２の容量はコンデンサＣ１の容量よりも大きく、コンデンサＣ３の容量はコンデンサＣ２の容量よりも大きいものとする。コンデンサＣ１、Ｃ２、Ｃ３の一端は夫々スイッチＳＷ１、ＳＷ２、ＳＷ３を介して配電線１のｂ地点に接続され、コンデンサＣ１、Ｃ２、Ｃ３の他端は接地（ＧＮＤ）される。よって、スイッチＳＷ１乃至ＳＷ３を夫々開閉する組み合わせにより、配電線１には６段階の容量が付加されることとなる。尚、スイッチＳＷ１乃至ＳＷ３を開閉して配電線１に付加される６段階の容量における最小の容量から最大の容量までを夫々、第１の容量乃至第６の容量とする。尚、第１の容量乃至第６の容量の詳細は後述する。
【００１５】
スイッチ制御回路２４、２６、２８は夫々、スイッチＳＷ１、ＳＷ２、ＳＷ３を開閉するための回路である。スイッチ制御回路２６、２８の構成はスイッチ制御回路２４の構成と同様であるので、スイッチ制御回路２４の構成について説明し、スイッチ制御回路２６、２８の構成の説明は省略する。スイッチ制御回路２４は、パレットスイッチ２４１、電源２４２、制御部配線２４３、コイル２４４を備えて構成される。パレットスイッチ２４１、電源２４２、コイル２４４は、制御部配線２４３によって直列に接続される。例えばパレットスイッチ２４１を閉とした場合、電源２４２からコイル２４４に電流が供給される。よって、コイル２４４は、電源２４２から供給された電流によって磁界を発生する。一方、例えばパレットスイッチ２４１を開とした場合、電源２４２からコイル２４４に電流が供給されない状態となる。よって、コイル２４４は、磁界を発生しない状態となる。尚、パレットスイッチ２６１、２８１を夫々閉とした際にコイル２６４、２８４に夫々供給される電流の大きさは、パレットスイッチ２４１を閉とした際にコイル２４４に供給される電流の大きさと同様であるものとする。
【００１６】
スイッチＳＷ１は、コイル２４４で発生した磁界の電磁力で閉なり、磁界が発生しないときは開となる例えば機械スイッチである。尚、スイッチＳＷ２、ＳＷ３の構成は、スイッチＳＷ１の構成と同様であるので、スイッチＳＷ２、ＳＷ３の構成の説明は省略する。
【００１７】
ＬＥＤ回路２３、２５、２７は夫々、スイッチＳＷ１、ＳＷ２、ＳＷ３の開閉に基づいてＬＥＤ２３４、２５４、２７４を点灯又は消灯させる回路である。ＬＥＤ回路２５、２７の構成はＬＥＤ回路２３の構成と同様であるので、ＬＥＤ回路２３の構成について説明し、ＬＥＤ回路２５、２７の構成の説明は省略する。ＬＥＤ回路２３は、パレットスイッチ２３１、電源２３２、制御部配線２３３、ＬＥＤ２３４を備えて構成される。パレットスイッチ２３１、電源２３２、ＬＥＤ２３４は、制御部配線２３３によって直列に接続される。パレットスイッチ２３１は、スイッチ回路２４のパレットスイッチ２４１の開閉に対応して開閉するスイッチである。尚、パレットスイッチ２４１が例えば閉とされた場合、パレットスイッチ２３１は例えば閉となり、パレットスイッチ２４１が例えば開とされた場合、パレットスイッチ２３１は例えば開となるものとする。例えばパレットスイッチ２３１を閉とした場合、電源２３２からＬＥＤ２３４に電流が供給され、ＬＥＤ２３４は点灯する。一方、例えばパレットスイッチ２３１を開とした場合、ＬＥＤ２３４には電源２３２から電流が供給されない状態となり、ＬＥＤ２３４は消灯する。尚、パレットスイッチ２５１、２７１を夫々閉とした際にＬＥＤ２５４、２７４に夫々供給される電流の大きさは、パレットスイッチ２３１を閉とした際にＬＥＤ２３４に供給される電流の大きさと同様であるものとする。
【００１８】
測定装置２１は、配電線１のｂ地点の近傍に設けられる例えば変成器であり、配電線１における測定装置２１が設けられた地点の電圧を測定する。
【００１９】
制御装置２２は、測定装置２１で測定された配電線１における測定装置２１が設けられた地点の電圧に応じてコンデンサＣ１乃至Ｃ３を配電線１に接続するようにパレットスイッチ２４１、２６１、２８１の開閉を制御する。制御装置２２は、測定装置２１で測定された配電線１における測定装置２１が設けられた地点の電圧（以下、測定電圧という）を示す測定情報を測定装置２１から受信できるように、例えば通信ケーブルＴ２を介して測定装置２１に接続される。制御装置２２は、記憶部２２１、判断部２２２及び入力部２２３を備えて構成される。記憶部２２１には、測定電圧と比較してコンデンサＣ１乃至Ｃ３を配電線１に接続するか否かの判断を行う際に用いられる閾値電圧が記憶されている。尚、閾値電圧は、例えば負荷Ｒ１に印加されて負荷Ｒ１が正常に動作する電圧よりも低い電圧とする。入力部２２３は、例えば作業員が閾値電圧を記憶部２２１に入力する際に用いる例えばキーボードである。判断部２２２は、制御装置２２が測定装置２１から受信した測定情報に示される測定電圧が記憶部２２１に記憶された閾値電圧よりも低いか否かを判断する。例えば測定装置２１から受信した測定情報に示される測定電圧が記憶部２２１に記憶された閾値電圧よりも低いと判断部２２２に判断された場合、制御装置２２は、測定電圧が閾値電圧よりも高くなるまで、配電線１に第１の容量から第６の容量が順次付加されるようにパレットスイッチ２４１、２６１、２８１を制御する。例えば、配電線１に容量が付加されない場合、制御装置２２は、パレットスイッチ２４１、２６１、２８１を開とする。例えば、配電線１に第１の容量を付加する場合、制御装置２２は、パレットスイッチ２４１を閉とし、パレットスイッチ２６１、２８１を開とする。例えば、配電線１に第２の容量を付加する場合、制御装置２２は、パレットスイッチ２６１を閉とし、パレットスイッチ２４１、２８１を開とする。例えば、配電線１に第３の容量を付加する場合、制御装置２２は、パレットスイッチ２８１を閉とし、パレットスイッチ２４１、２６１を開とする。例えば、配電線１に第４の容量を付加する場合、制御装置２２は、パレットスイッチ２４１、２８１を閉とし、パレットスイッチ２６１を開とする。例えば、配電線１に第５の容量を付加する場合、制御装置２２は、パレットスイッチ２６１、２８１を閉とし、パレットスイッチ２４１を開とする。例えば、配電線１に第６の容量を付加する場合、制御装置２２は、パレットスイッチ２４１、２６１、２８１を閉とする。
【００２０】
＝＝＝電流測定具＝＝＝
図１は、本実施形態に係る電流測定具を示す斜視図である。尚、連結口５ｃは、電流測定具５の外部からは見えない状態であるが、説明の便宜上点線で示されている。
【００２１】
電流測定具５は、ＳＳＣ２が配電線１の無効電力を調整する動作を判別するために、制御部配線２３３、２５３、２７３（以下、ＬＥＤ回路の制御部配線という）又は制御部配線２４３、２６３、２８３（以下、スイッチ制御回路の制御部配線という）を内部に配設して、ＬＥＤ回路の制御部配線又はスイッチ制御回路の制御部配線に供給される電流を測定するための測定具である。尚、電流測定具５が、ＬＥＤ回路の制御部配線又はスイッチ制御回路の制御部配線を内部に配設する構成の詳細については後述する。
【００２２】
電流測定具５は、環状管５ａ、連結管５ｂを備えて構成される。  
環状管５ａは、例えば中心軸がＹ軸に沿った円環形状であり、内部にＬＥＤ回路の制御部配線又はスイッチ制御回路の制御部配線を巻回した状態で配設する管部材である。尚、ＬＥＤ回路の制御部配線又はスイッチ制御回路の制御部配線を環状管５ａに巻回する構成の詳細については後述する。連結管５ｂは、長手方向が例えばＸ軸に沿い、−Ｘ側の端部に設けられた開口（第１開口）と＋Ｘ側の端部に設けられた開口（第２開口）との間が通じている例えば矩形筒形状の管部材である。連結管５ｂは、＋Ｘ側の端部が環状管５ａの下側（−Ｚ側）から＋Ｘ側に向けて突出し、−Ｘ側の端部が環状管５ａの下側から−Ｘ側に向けて突出するように、環状管５ａの下側に結合される。尚、連結管５ｂの内部と環状管５ａの内部とは連結口５ｃで通じているものする。
【００２３】
電流測定具５は、結合された環状管５ａ、連結管５ｂを例えばＸＺ平面に平行な平面で半割された２つの組み立て部材５１、５２を組み立てて形成されるものとする。尚、組み立て部材５１は、電流測定具５の半割された−Ｙ側の組み立て部材であり、組み立て部材５２は、電流測定具５の半割された＋Ｙ側の組み立て部材とする。組み立て部材５１、５２は、相互に嵌り合った状態で、例えば３つの固定具５３によって固定される。固定具５３は、嵌り合った組み立て部材５１、５２の嵌り合った状態を固定するための部品である。固定具５３は、組み立て部材５１、５２を固定するように、例えば環状管５ａの上側（＋Ｚ側）、連結管５ｂの＋Ｘ側の端部の上側、連結管５ｂの−Ｘ側の端部の上側に取り付けられる。固定具５３は、固定具本体５３０、雄ネジ５３１、５３２を含んで構成される。固定具本体５３０は、雄ネジ５３１、５３２によって組み立て部材５１、５２に取り付けるための孔が設けられた例えば金属板である。雄ネジ５３１、５３２は組み立て部材５１、５２に夫々固定具本体５３０を取り付けるための雄ネジである。尚、組み立て部材５１、５２における固定具５３が取り付けられる部分には、雄ネジ５３１、５３２と夫々嵌り合う雌ネジ（不図示）が設けられているものとする。
【００２４】
＝＝＝制御部配線の配設＝＝＝
図１乃至図４を参照して、ＬＥＤ回路の制御部配線又はスイッチ制御回路の制御部配線を電流測定具５へ配設する構成について説明する。
【００２５】
図３は、電流測定具５の内部に＋Ｙ方向へ向かって時計周りに巻回された状態で配設された、制御部配線を示す図である。尚、制御部配線２４３ａ、２６３ａ、２８３ａは説明の便宜上夫々、一点鎖線、鎖線、実線で示されている。図４は、電流測定具５の内部に＋Ｙ方向へ向かって反時計周りに巻回された状態で配設された、制御部配線を示す図である。尚、制御部配線２４３ａ、２６３ａ、２８３ａは説明の便宜上夫々、一点鎖線、鎖線、実線で示されている。
【００２６】
ＬＥＤ回路の制御部配線を電流測定具５に配設する構成は、スイッチ制御回路の制御部配線を電流測定具５に配設する構成と同様であるので、スイッチ制御回路の制御部配線を電流測定具５に配設する構成について説明し、ＬＥＤ回路の制御部配線を電流測定具５に配設する構成の説明は省略する。
【００２７】
制御部配線２４３における例えばパレットスイッチ２４２とコイル２４４の間の制御部配線２４３ａが電流測定具５に配設されるものとする。制御部配線２６３における例えばパレットスイッチ２６２とコイル２６４の間の制御部配線２６３ａが電流測定具５に配設されるものとする。制御部配線２８３における例えばパレットスイッチ２８２とコイル２８４の間の制御部配線２８３ａが電流測定具５に配設されるものとする。制御部配線２４３ａ、２６３ａ、２８３ａは、連結管５ｂの例えば−Ｘ側の端部の開口から導入され、連結管５ｂの例えば＋Ｘ側の端部の開口から導出されるように、電流測定具５に配設される。尚、制御部配線２４３ａ、２６３ａ、２８３ａにおける連結管５ｂの例えば−Ｘ側の端部側は夫々、例えばコイル２４４、２６４、２８４を夫々介して、電源２４２、２６２、２８２の＋側に夫々接続されているものとする。一方、制御部配線２４３ａ、２６３ａ、２８３ａにおける連結管５ｂの例えば＋Ｘ側の端部側は夫々、例えばパレットスイッチ２４１、２６１、２８１を夫々介して、電源２４２、２６２、２８２の−側に夫々接続されているものとする。
【００２８】
ここで、電流検出器５５は、環状管５ａの上側（＋Ｚ側）又は環状管５ａと連結管５ｂとの結合部分を取り囲むように電流測定具５に取り付けられる。スイッチ制御回路の制御部配線を電流測定具５に配設する構成について、電流検出器５５が電流測定具５における環状管５ａの上側に取り付けられる場合と、電流検出器５５が電流測定具５における環状管５ａと連結管５ｂとの結合部分に取り付けられる場合に分けて説明する。尚、電流検出器５５の詳細については後述する。
【００２９】
＜電流検出器５５が電流測定具５における環状管５ａの上側に取り付けられる場合＞
制御部配線２４３ａ、２６３ａ、２８３ａは、電流測定具５を例えば反割りして電流測定具５の内部に配設される。電流測定具５における固定具５３の雄ネジ５３１、５３２を夫々、組み立て部材５１、５２の雌ネジから取り外す。例えば組み立て部材５２と嵌り合った組み立て部材５１を取り外す。制御部配線２４３ａは、連結管５ｂの例えば−Ｘ側の端部の開口から導入されて、環状管５ａの内部に沿って＋Ｙ方向へ見て例えば時計周りに１周巻回された後に、連結管５ｂの例えば＋Ｘ側の端部の開口から導出されるように、組み立て部材５２に配設される。制御部配線２６３ａは、連結管５ｂの例えば−Ｘ側の端部の開口から導入されて、環状管５ａの内部に沿って＋Ｙ方向へ見て例えば時計周りに２周巻回された後に、連結管５ｂの例えば＋Ｘ側の端部の開口から導出されるように、組み立て部材５２に配設される。制御部配線２８３ａは、連結管５ｂの例えば−Ｘ側の端部の開口から導入されて、環状管５ａの内部に沿って＋Ｙ方向へ見て例えば時計周りに３周巻回された後に、連結管５ｂの例えば＋Ｘ側の端部の開口から導出されるように、組み立て部材５２に配設される。制御部配線２４３ａ、２６３ａ、２８３ａが組み立て部材５２に配設された後、組み立て部材５１は組み立て部材５２に嵌められる。嵌り合った組み立て部材５１、５２は、固定具５３によって固定される。
【００３０】
＜電流検出器５５が電流測定具５における環状管５ａと連結管５ｂとの結合部分に取り付けられる場合＞
制御部配線２４３ａ、２６３ａ、２８３ａは、電流測定具５を例えば反割りして電流測定具５の内部に配設される。電流測定具５における固定具５３の雄ネジ５３１、５３２を夫々、組み立て部材５１、５２の雌ネジから取り外す。例えば組み立て部材５２と嵌り合った組み立て部材５１を取り外す。制御部配線２４３ａは、連結管５ｂの例えば−Ｘ側の端部の開口から導入されて、環状管５ａの内部に沿って巻回されずに、連結管５ｂの例えば＋Ｘ側の端部の開口から直接導出されるように、組み立て部材５２に配設される。制御部配線２６３ａは、連結管５ｂの例えば−Ｘ側の端部の開口から導入されて、環状管５ａの内部に沿って＋Ｙ方向へ見て例えば反時計周りに１周巻回された後に、連結管５ｂの例えば＋Ｘ側の端部の開口から導出されるように、組み立て部材５２に配設される。制御部配線２８３ａは、連結管５ｂの例えば−Ｘ側の端部の開口から導入されて、環状管５ａの内部に沿って＋Ｙ方向へ見て例えば反時計周りに２周巻回された後に、連結管５ｂの例えば＋Ｘ側の端部の開口から導出されるように、組み立て部材５２に配設される。制御部配線２４３ａ、２６３ａ、２８３ａが組み立て部材５２に配設された後、組み立て部材５１は組み立て部材５２に嵌められる。嵌り合った組み立て部材５１、５２は、固定具５３によって固定される。
【００３１】
＝＝＝電流検出器＝＝＝
図１乃至図６を参照して、電流検出器５５ついて説明する。  
図５は、電流検出器５５が環状管５ａの上側（＋Ｚ側）に取り付けられた状態の電流測定具５を示す斜視図である。尚、連結口５ｃは、電流測定具５の外部からは見えない状態であるが、説明の便宜上点線で示されている。図６は、電流検出器５５が環状管５ａと連結管５ｂとの結合部分に取り付けられた電流測定具５を示す斜視図である。尚、連結口５ｃは、電流測定具５の外部からは見えない状態であるが、説明の便宜上点線で示されている。
【００３２】
電流検出器５５は、電流測定具５に配設されたスイッチ制御回路の制御部配線又はＬＥＤ回路の制御部配線に供給される電流を測定して測定結果を保存する装置である。
【００３３】
電流検出器５５がＬＥＤ回路の制御部配線に供給される電流を測定する構成は電流検出器５５がスイッチ制御回路の制御部配線に供給される電流を測定する構成と同様であるので、電流検出器５５がスイッチ制御回路の制御部配線に供給される電流を測定する構成について説明し、電流検出器５５がＬＥＤ回路の制御部配線に供給される電流を測定する構成の説明は省略する。
【００３４】
電流検出器５５は、プローブ５５１と本体５５０を含んで構成される。  
プローブ５５１は、電流検出器５５が環状管５ａの上側に取り付けられる際に環状管５ａを外側から取り囲み、電流検出器５５が環状管５ａと連結管５ｂとの結合部分に取り付けられる際に環状管５ａと連結管５ｂとの結合部分を取り囲む形状である。本体５５０は、測定スイッチ５５０ａ、５５０ｂ、測定部（不図示）、記憶部（不図示）を有する。本体５５０は、例えば略矩形形状であり本体５５０の測定部がプローブ５５１と電気的に接続されるようにプローブ５５１が本体５５０の先端に取り付けられる。本体５５０の測定部は、プローブ５５１と電気的に接続され、プローブ５５１が取り囲んだ領域を鎖交する電流を例えば１秒間隔で測定する。本体５５０の記憶部は、本体５５０の測定部で例えば１秒間隔で測定された電流の測定結果を示す制御部配線電流情報を記憶する。尚、本体５５０の記憶部は、制御部配線電流情報を例えば１週間以上連続して記憶できるものとする。ここで、本体５５０には例えばＵＳＢインターフェース（不図示）が設けられているものとする。例えば本体５５０は、例えばパーソナルコンピュータ（以下パソコンという）と例えばＵＳＢケーブルを介して接続さるものとする。本体５５０は、記憶部に記憶された制御部配線電流情報を、例えばＵＳＢケーブルを介して例えばパソコンに送信するものとする。本体５５０の側面には、測定スイッチ５５０ａ、５５０ｂが設けられる。測定スイッチ５５０ａは、本体５５０による電流の測定を開始するためのスイッチである。測定スイッチ５５０ｂは、本体５５０による電流の測定を終了するためのスイッチである。例えば、測定スイッチ５５０ａが押された場合、本体５５０の測定部はプローブ５５１が取り囲んだ領域を鎖交する電流の測定を開始する。一方、例えば、測定スイッチ５５０ｂが押された場合、本体５５０の測定部はプローブ５５１が取り囲んだ領域を鎖交する電流の測定を終了する。
【００３５】
ここで、例えば電流検出器５５が環状管５ａの上側に取り付けられた場合、本体５５０は、プローブ５５１が取り囲んだ領域を＋Ｘ方向に鎖交する電流を＋の電流と測定し、−Ｘ方向に鎖交する電流を−の電流と測定するものとする。一方、例えば電流検出器５５が環状管５ａと連結管５ｂとの結合部分に取り付けられた場合、本体５５０は、プローブ５５１が取り囲んだ領域を＋Ｘ方向に鎖交する電流を＋の電流と測定し、−Ｘ方向に鎖交する電流を−の電流と測定するものとする。
【００３６】
電流検出器５５が例えば環状管５ａの上側に取り付けられたときに電流検出器５５によって測定される電流について説明する。前述したように、電流検出器５５が環状管５ａの上側に取り付けられる場合、制御部配線２４３ａ、２６３ａ、２８３ａは、環状管５ａの内部に沿って＋Ｙ方向へ見て例えば時計周りに巻回された状態で、電流測定具５の内部に配設される。
【００３７】
制御部配線２４３ａ、２６３ａ、２８３ａにおける電流が供給される制御部配線の組み合わせ及び制御部配線２４３ａ、２６３ａ、２８３ａの夫々の巻数に応じて、電流検出器５５では、例えば７段階の大きさの電流が測定される。尚、制御部配線２４３ａ、２６３ａ、２８３ａには、例えば同様な大きさの電流Ｉａが供給されるものとする。
【００３８】
例えば、制御部配線２４３ａ、２６３ａ、２８３ａに電流が供給されない場合、電流検出器５５で測定される電流は０となる。例えば、制御部配線２４３ａに電流Ｉａが供給されて制御部配線２６３ａ、２８３ａに電流が供給されない場合、環状管５ａに１周巻かれた制御部配線２４３ａに電流Ｉａが供給されるので、電流検出器５５では電流Ｉａが測定される。例えば、制御部配線２６３ａに電流Ｉａが供給されて制御部配線２４３ａ、２８３ａに電流が供給されない場合、環状管５ａに２周巻かれた制御部配線２６３ａに電流Ｉａが供給されるので、電流検出器５５では電流２Ｉａが測定される。例えば、制御部配線２８３ａに電流Ｉａが供給されて制御部配線２４３ａ、２６３ａに電流が供給されない場合、環状管５ａに３周巻かれた制御部配線２８３ａに電流Ｉａが供給されるので、電流検出器５５では電流３Ｉａが測定される。例えば、制御部配線２４３ａ、２８３ａに電流Ｉａが供給されて制御部配線２６３ａに電流が供給されない場合、環状管５ａに１周巻かれた制御部配線２４３ａ及び３周巻かれた制御部配線２８３ａに電流Ｉａが供給されるので、電流検出器５５では電流４Ｉａが測定される。例えば、制御部配線２６３ａ、２８３ａに電流Ｉａが供給されて制御部配線２４３ａに電流が供給されない場合、環状管５ａに２周巻かれた制御部配線２６３ａ及び３周巻かれた制御部配線２８３ａに電流Ｉａが供給されるので、電流検出器５５では電流５Ｉａが測定される。例えば、制御部配線２４３ａ、２６３ａ、２８３ａに電流Ｉａが供給される場合、環状管５ａに１周巻かれた制御部配線２４３ａ、２周巻かれた制御部配線２６３ａ及び３周巻かれた制御部配線２８３ａに電流Ｉａが供給されるので、電流検出器５５では電流６Ｉａが測定される。尚、電流検出器５５が例えば環状管５ａと連結管５ｂとの結合部分に取り付けられたときに電流検出器５５によって測定される電流は、電流検出器５５が例えば環状管５ａの上側に取り付けられたときに電流検出器５５によって測定される電流と同様であるので、その説明は省略する。
【００３９】
＝＝＝ＳＳＣ２のコンデンサＣ１乃至Ｃ３と配電線１との接続状態の判別＝＝＝
図１乃至図６を参照して、ＳＳＣ２のコンデンサＣ１乃至Ｃ３と配電線１との接続状態（以下、コンデンサと配電線との接続状態という）の判別について説明する。例えば、ＳＳＣ２が、配電線１にコンデンサＣ１、Ｃ３を接続して第４の容量を配電線１に付加する場合について説明する。尚、ＳＳＣ２が第１の容量乃至第３の容量、第５の容量、第６の容量を配電線１に付加するときのコンデンサと配電線との接続状態の判別は、ＳＳＣ２が第４の容量を配電線１に付加するときのコンデンサと配電線との接続状態の判別と同様であるので、その説明は省略する。ＳＳＣ２が容量を配電線１に付加しないときのコンデンサと配電線との接続状態の判別は、ＳＳＣ２が第４の容量を配電線１に付加するときのコンデンサと配電線との接続状態の判別と同様であるので、その説明は省略する。また、電流測定具５を用いてスイッチ制御回路の制御部配線に供給される電流の測定について説明する。尚、ＬＥＤ回路の制御部配線に供給される電流の測定は、スイッチ制御回路の制御部配線に供給される電流の測定と同様であるので、その説明は省略する。また、電流検出器５５が環状管５ａの上側（＋Ｚ側）に取り付けられたときに電流検出器５５によって測定される電流について説明する。尚、電流検出器５５が環状管５ａと連結管５ｂとの結合部分に取り付けられたときに電流検出器５５によって測定される電流は、電流検出器５５が環状管５ａの上側に取り付けられたときに電流検出器５５によって測定される電流と同様であるので、その説明は省略する。
【００４０】
例えば、ＳＳＣ２が配電線１に第４の容量を付加する場合、制御装置２２は、パレットスイッチ２４１、２８１を閉とし、パレットスイッチ２６１を開とする。制御部配線２４３ａ、２８３ａに夫々電源２４２、２８２から電流Ｉａが供給される。制御部配線２６３ａには電源２６２から電流が供給されない状態となる。例えば作業員が電流検出器５５の測定スイッチ５５０ａを押した場合、電流検出器５５は、電流４Ｉａを測定して電流４Ｉａを示す制御部配線電流情報を電流検出器５５の記憶部に記憶する。例えば作業員が電流検出器５５の測定スイッチ５５０ｂを押した場合、電流検出器５５による測定は終了する。電流検出器５５は、電流４Ｉａを示す制御部配線電流情報を、例えばＵＳＢケーブルを介して例えばパソコンに送信する。例えば作業員はパソコンに送信された、電流４Ｉａを示す制御部配線電流情報を解析して、コンデンサと配電線との接続状態を判別する。
【００４１】
前述したように、制御部配線２４３ａ、２６３ａ、２８３ａは夫々、異なる巻数となるように環状管５ａに巻回される。制御部配線２４３ａ、２６３ａ、２８３ａの両端は、少なくとも連結管５ｂの例えば−Ｘ側又は例えば＋Ｘ側の端部の開口から導出される。電流測定具５では、例えば環状管５ａの上側（＋Ｚ側）を取り囲むように取り付けられた電流検出器５５によって、取り囲まれた領域を鎖交する電流を測定することができる。よって、ＳＳＣ２におけるコンデンサＣ１乃至Ｃ３と配電線１との接続状態を判別することができる。従って、ＳＳＣ２における配電線１に接続される高圧電線に電流計を取り付けることなく、ＳＳＣ２が配電線１の無効電力を調整する動作を判別することができる。そのため、上記動作を判別する作業の安全性及び作業効率を向上させることができる。
【００４２】
また、連結管５ｂの内部と環状管５ａの内部とが連結口５ｃで通じるように、連結管５ｂを環状管５ａの下側（−Ｚ側）に結合する。制御部配線２６３ａ、２８３ａは、連結管５ｂの例えば−Ｘ側の端部の開口から連結管５ｂの内部を介して環状管５ａの内部に導入される。制御部配線２６３ａ、２８３ａは夫々、異なる巻数となるように環状管５ａに巻回された後に、連結管５ｂの内部を介して連結管５ｂの例えば＋Ｘ側の端部の開口から導出される。制御部配線２４３ａは、連結管５ｂの例えば−Ｘ側の端部の開口から連結管５ｂの内部に導入される。制御部配線２４３ａは、環状管５ａに巻回されずに、連結管５ｂの例えば＋Ｘ側の端部の開口から直接導出される。電流測定具５では、例えば環状管５ａと連結管５ｂとの結合部分を取り囲むように取り付けられた電流検出器５５によって、取り囲まれた領域を鎖交する電流を測定することができる。よって、ＳＳＣ２におけるコンデンサＣ１乃至Ｃ３と配電線１との接続状態を判別することができる。従って、環状管５ａの上側とは異なる位置である、環状管５ａと連結管５ｂとの結合部分に電流検出器５５を取りつけて上記の動作を判別することができ、汎用性の高い電流測定具５を提供することができる。
【００４３】
[第２実施形態]
＝＝＝配電設備＝＝＝
図７は、本実施形態における配電設備を示す図である。尚、図２に示された構成と同じ構成については同じ番号を付すのみで、その説明は省略する。  
配電系統１００ａは、配電線１、変電所４を備えて構成される。  
配電線１には、負荷Ｒ２、ＳＳＲ（Step Switched Reactor：分路リアクトル装置）３が接続される。尚、ＳＳＲ３は、配電線１における例えば上流側のｄ地点に接続され、負荷Ｒ２は、配電線１における例えば下流側のｃ地点に接続されるものとする。  
負荷Ｒ２は、例えば工場に設けられた電気機器である。負荷Ｒ２には、変電所４に設けられた配電用変圧器Ｔｒの二次側から配電線１を介して電力が供給される。ＳＳＲ３は、配電線１におけるＳＳＲ３が接続されるｄ地点の近傍の電圧に応じて、配電線１の電圧を調整するための無効電力が配電線１に供給されるように配電線１のｄ地点にリアクトルＬ１乃至Ｌ３を選択的に接続する装置である。尚、ＳＳＲ３の詳細については後述する。
【００４４】
＝＝＝ＳＳＲ＝＝＝
ＳＳＲ３は、配電線１におけるＳＳＲ３が接続されるｄ地点の近傍の電圧に応じて、配電線１の電圧を調整するための無効電力が配電線１に供給されるように配電線１のｄ地点にリアクトルＬ１乃至Ｌ３を選択的に接続する装置である。
【００４５】
ＳＳＲ３は、測定装置３１、制御装置３２、リアクトルＬ１乃至Ｌ３、スイッチＳＷ４乃至ＳＷ６、ＬＥＤ回路３３、３５、３７、スイッチ制御回路３４、３６、３８を備えて構成される。尚、リアクトルＬ１、スイッチＳＷ４、スイッチ制御回路３４が、本実施形態の電圧調整装置に相当する。リアクトルＬ２、スイッチＳＷ５、スイッチ制御回路３６が、本実施形態の電圧調整装置に相当する。リアクトルＬ３、スイッチＳＷ６、スイッチ制御回路３８が、本実施形態の電圧調整装置に相当する。
【００４６】
リアクトルＬ１乃至Ｌ３は夫々、例えば異なる容量のリアクトルである。尚、例えばリアクトルＬ２の容量はリアクトルＬ１の容量よりも大きく、リアクトルＬ３の容量はリアクトルＬ２の容量よりも大きいものとする。リアクトルＬ１、Ｌ２、Ｌ３の一端は夫々スイッチＳＷ４、ＳＷ５、ＳＷ６を介して配電線１のｄ地点に接続され、リアクトルＬ１、Ｌ２、Ｌ３の他端は接地（ＧＮＤ）される。よって、スイッチＳＷ４乃至ＳＷ６を夫々開閉する組み合わせにより、配電線１には６段階の誘導性リアクタンスが付加されることとなる。尚、スイッチＳＷ１乃至ＳＷ３を開閉して配電線１に付加される６段階の誘導性リアクタンスにおける最小の誘導性リアクタンスから最大の誘導性リアクタンスまでを夫々、第１の誘導性リアクタンス乃至第６の誘導性リアクタンスとする。尚、第１の誘導性リアクタンス乃至第６の誘導性リアクタンスの詳細は後述する。
【００４７】
スイッチ制御回路３４、３６、３８は夫々、スイッチＳＷ４、ＳＷ５、ＳＷ６を開閉するための回路である。スイッチ制御回路３６、３８の構成はスイッチ制御回路３４の構成と同様であるので、スイッチ制御回路３４の構成について説明し、スイッチ制御回路３６、３８の構成の説明は省略する。スイッチ制御回路３４は、パレットスイッチ３４１、電源３４２、制御部配線３４３、コイル３４４を備えて構成される。パレットスイッチ３４１、電源３４２、コイル３４４は、制御部配線３４３によって直列に接続される。例えばパレットスイッチ３４１を閉とした場合、電源３４２からコイル３４４に電流が供給される。よって、コイル３４４は、電源３４２から供給された電流によって磁界を発生する。一方、例えばパレットスイッチ３４１を開とした場合、電源３４２からコイル３４４に電流が供給されない状態となる。よって、コイル３４４は、磁界を発生しない状態となる。尚、パレットスイッチ３６１、３８１を夫々閉とした際にコイル３６４、３８４に夫々供給される電流の大きさは、パレットスイッチ３４１を閉とした際にコイル３４４に供給される電流の大きさと同様であるものとする。
【００４８】
スイッチＳＷ４は、コイル３４４で発生した磁界の電磁力で閉なり、磁界が発生しないときは開となる例えば機械スイッチである。尚、スイッチＳＷ５、ＳＷ６の構成は、スイッチＳＷ４の構成と同様であるので、スイッチＳＷ５、ＳＷ６の構成の説明は省略する。
【００４９】
ＬＥＤ回路３３、３５、３７は夫々、スイッチＳＷ４、ＳＷ５、ＳＷ６の開閉に基づいてＬＥＤ３３４、３５４、３７４を点灯又は消灯させる回路である。ＬＥＤ回路３５、３７の構成はＬＥＤ回路３３の構成と同様であるので、ＬＥＤ回路３３の構成について説明し、ＬＥＤ回路３５、３７の構成の説明は省略する。ＬＥＤ回路３３は、パレットスイッチ３３１、電源３３２、制御部配線３３３、ＬＥＤ３３４を備えて構成される。パレットスイッチ３３１、電源３３２、ＬＥＤ３３４は、制御部配線３３３によって直列に接続される。パレットスイッチ３３１は、スイッチ回路３４のパレットスイッチ３４１の開閉に対応して開閉するスイッチである。尚、パレットスイッチ３４１が例えば閉とされた場合、パレットスイッチ３３１は例えば閉となり、パレットスイッチ３４１が例えば開とされた場合、パレットスイッチ３３１は例えば開となるものとする。例えばパレットスイッチ３３１を閉とした場合、電源３３２からＬＥＤ３３４に電流が供給され、ＬＥＤ３３４は点灯する。一方、例えばパレットスイッチ３３１を開とした場合、ＬＥＤ３３４には電源３３２から電流が供給されない状態となり、ＬＥＤ３３４は消灯する。尚、パレットスイッチ３５１、３７１を夫々閉とした際にＬＥＤ３５４、３７４に夫々供給される電流の大きさは、パレットスイッチ３３１を閉とした際にＬＥＤ３３４に供給される電流の大きさと同様であるものとする。
【００５０】
測定装置３１は、配電線１のｄ地点の近傍に設けられる例えば変成器であり、配電線１における測定装置３１が設けられた地点の電圧を測定する。
【００５１】
制御装置３２は、測定装置３１で測定された配電線１における測定装置３１が設けられた地点の電圧に応じてリアクトルＬ１乃至Ｌ３を配電線１に接続するようにパレットスイッチ３４１、３６１、３８１の開閉を制御する。制御装置３２は、測定装置３１で測定された配電線１における測定装置３１が設けられた地点の電圧（以下、測定電圧という）を示す測定情報を測定装置３１から受信できるように、例えば通信ケーブルＴ３を介して測定装置３１に接続される。制御装置３２は、記憶部３２１、判断部３２２及び入力部３２３を備えて構成される。記憶部３２１には、測定電圧と比較してリアクトルＬ１乃至Ｌ３を配電線１に接続するか否かの判断を行う際に用いられる閾値電圧が記憶されている。尚、閾値電圧は、例えば負荷Ｒ２に印加されて負荷Ｒ２が故障を引き起こす可能性が生じる電圧よりも高い電圧とする。入力部３２３は、例えば作業員が閾値電圧を記憶部３２１に入力する際に用いる例えばキーボードである。判断部３２２は、制御装置３２が測定装置３１から受信した測定情報に示される測定電圧が記憶部３２１に記憶された閾値電圧よりも高いか否かを判断する。例えば測定装置３１から受信した測定情報に示される測定電圧が記憶部３２１に記憶された閾値電圧よりも高いと判断部３２２に判断された場合、制御装置３２は、測定電圧が閾値電圧よりも低くなるまで、配電線１に第１の誘導性リアクタンスから第６の誘導性リアクタンスが順次付加されるようにパレットスイッチ３４１、３６１、３８１を制御する。例えば、配電線１に誘導性リアクタンスが付加されない場合、制御装置３２は、パレットスイッチ３４１、３６１、３８１を開とする。例えば、配電線１に第１の誘導性リアクタンスを付加する場合、制御装置３２は、パレットスイッチ３４１を閉とし、パレットスイッチ３６１、３８１を開とする。例えば、配電線１に第２の誘導性リアクタンスを付加する場合、制御装置３２は、パレットスイッチ３６１を閉とし、パレットスイッチ３４１、３８１を開とする。例えば、配電線１に第３の誘導性リアクタンスを付加する場合、制御装置３２は、パレットスイッチ３８１を閉とし、パレットスイッチ３４１、３６１を開とする。例えば、配電線１に第４の誘導性リアクタンスを付加する場合、制御装置３２は、パレットスイッチ３４１、３８１を閉とし、パレットスイッチ３６１を開とする。例えば、配電線１に第５の誘導性リアクタンスを付加する場合、制御装置３２は、パレットスイッチ３６１、３８１を閉とし、パレットスイッチ３４１を開とする。例えば、配電線１に第６の誘導性リアクタンスを付加する場合、制御装置３２は、パレットスイッチ３４１、３６１、３８１を閉とする。
【００５２】
＝＝＝制御部配線の配設＝＝＝
制御部配線３３３、３５３、３７３（以下、ＬＥＤ回路の制御部配線という）又は制御部配線３４３、３６３、３８３（以下、スイッチ制御回路の制御部配線という）は、電流測定具５の内部に配設される。尚、ＬＥＤ回路の制御部配線を電流測定具５に配設する構成は、スイッチ制御回路の制御部配線を電流測定具５に配設する構成と同様であるので、スイッチ制御回路の制御部配線を電流測定具５に配設する構成について説明し、ＬＥＤ回路の制御部配線を電流測定具５に配設する構成の説明は省略する。
【００５３】
制御部配線３４３における例えばパレットスイッチ３４２とコイル３４４の間の制御部配線３４３ａが電流測定具５に配設されるものとする。制御部配線３６３における例えばパレットスイッチ３６２とコイル３６４の間の制御部配線３６３ａが電流測定具５に配設されるものとする。制御部配線３８３における例えばパレットスイッチ３８２とコイル３８４の間の制御部配線３８３ａが電流測定具５に配設されるものとする。制御部配線３４３ａ、３６３ａ、３８３ａは、連結管５ｂの例えば−Ｘ側の端部の開口から導入され、連結管５ｂの例えば＋Ｘ側の端部の開口から導出されるように、電流測定具５に配設される。尚、制御部配線３４３ａ、３６３ａ、３８３ａにおける連結管５ｂの例えば−Ｘ側の端部側は夫々、例えばコイル３４４、３６４、３８４を夫々介して、電源３４２、３６２、３８２の＋側に夫々接続されているものとする。一方、制御部配線３４３ａ、３６３ａ、３８３ａにおける連結管５ｂの例えば＋Ｘ側の端部側は夫々、例えばパレットスイッチ３４１、３６１、３８１を夫々介して、電源３４２、３６２、３８２の−側に夫々接続されているものとする。
【００５４】
ここで、電流検出器５５は、環状管５ａの上側（＋Ｚ側）又は環状管５ａと連結管５ｂとの結合部分を取り囲むように電流測定具５に取り付けられる。スイッチ制御回路の制御部配線を電流測定具５に配設する構成について、電流検出器５５が電流測定具５における環状管５ａの上側に取り付けられる場合と、電流検出器５５が電流測定具５における環状管５ａと連結管５ｂとの結合部分に取り付けられる場合に分けて説明する。
【００５５】
＜電流検出器５５が電流測定具５における環状管５ａの上側に取り付けられる場合＞
制御部配線３４３ａ、３６３ａ、３８３ａは、電流測定具５を例えば反割りして電流測定具５の内部に配設される。電流測定具５における固定具５３の雄ネジ５３１、５３２を夫々、組み立て部材５１、５２の雌ネジから取り外す。例えば組み立て部材５２と嵌り合った組み立て部材５１を取り外す。制御部配線３４３ａは、連結管５ｂの例えば−Ｘ側の端部の開口から導入されて、環状管５ａの内部に沿って＋Ｙ方向へ見て例えば時計周りに１周巻回された後に、連結管５ｂの例えば＋Ｘ側の端部の開口から導出されるように、組み立て部材５２に配設される。制御部配線３６３ａは、連結管５ｂの例えば−Ｘ側の端部の開口から導入されて、環状管５ａの内部に沿って＋Ｙ方向へ見て例えば時計周りに２周巻回された後に、連結管５ｂの例えば＋Ｘ側の端部の開口から導出されるように、組み立て部材５２に配設される。制御部配線３８３ａは、連結管５ｂの例えば−Ｘ側の端部の開口から導入されて、環状管５ａの内部に沿って＋Ｙ方向へ見て例えば時計周りに３周巻回された後に、連結管５ｂの例えば＋Ｘ側の端部の開口から導出されるように、組み立て部材５２に配設される。制御部配線３４３ａ、３６３ａ、３８３ａが組み立て部材５２に配設された後、組み立て部材５１は組み立て部材５２に嵌められる。嵌り合った組み立て部材５１、５２は、固定具５３によって固定される。
【００５６】
＜電流検出器５５が電流測定具５における環状管５ａと連結管５ｂとの結合部分に取り付けられる場合＞
制御部配線３４３ａ、３６３ａ、３８３ａは、電流測定具５を例えば反割りして電流測定具５の内部に配設される。電流測定具５における固定具５３の雄ネジ５３１、５３２を夫々、組み立て部材５１、５２の雌ネジから取り外す。例えば組み立て部材５２と嵌り合った組み立て部材５１を取り外す。制御部配線３４３ａは、連結管５ｂの例えば−Ｘ側の端部の開口から導入されて、環状管５ａの内部に沿って巻回されずに、連結管５ｂの例えば＋Ｘ側の端部の開口から直接導出されるように、組み立て部材５２に配設される。制御部配線３６３ａは、連結管５ｂの例えば−Ｘ側の端部の開口から導入されて、環状管５ａの内部に沿って＋Ｙ方向へ見て例えば反時計周りに１周巻回された後に、連結管５ｂの例えば＋Ｘ側の端部の開口から導出されるように、組み立て部材５２に配設される。制御部配線３８３ａは、連結管５ｂの例えば−Ｘ側の端部の開口から導入されて、環状管５ａの内部に沿って＋Ｙ方向へ見て例えば反時計周りに２周巻回された後に、連結管５ｂの例えば＋Ｘ側の端部の開口から導出されるように、組み立て部材５２に配設される。制御部配線３４３ａ、３６３ａ、３８３ａが組み立て部材５２に配設された後、組み立て部材５１は組み立て部材５２に嵌められる。嵌り合った組み立て部材５１、５２は、固定具５３によって固定される。
【００５７】
＝＝＝ＳＳＲ３のリアクトルＬ１乃至Ｌ３と配電線１との接続状態の判別＝＝＝
ＳＳＲ３のリアクトルＬ１乃至Ｌ３と配電線１との接続状態（以下、リアクトルと配電線との接続状態という）の判別について説明する。例えば、ＳＳＲ３が、配電線１にリアクトルＬ１、Ｌ３を接続して第４の誘導性リアクタンスを配電線１に付加する場合について説明する。尚、ＳＳＲ３が第１の誘導性リアクタンス乃至第３の誘導性リアクタンス、第５の誘導性リアクタンス、第６の誘導性リアクタンスを配電線１に付加するときのリアクトルと配電線との接続状態の判別は、ＳＳＲ３が第４の誘導性リアクタンスを配電線１に付加するときのリアクトルと配電線との接続状態の判別と同様であるので、その説明は省略する。ＳＳＲ３が誘導性リアクタンスを配電線１に付加しないときのリアクトルと配電線との接続状態の判別は、ＳＳＲ３が第４の誘導性リアクタンスを配電線１に付加するときのリアクトルと配電線との接続状態の判別と同様であるので、その説明は省略する。また、電流測定具５を用いてスイッチ制御回路の制御部配線に供給される電流の測定について説明する。尚、ＬＥＤ回路の制御部配線に供給される電流の測定は、スイッチ制御回路の制御部配線に供給される電流の測定と同様であるので、その説明は省略する。また、電流検出器５５が環状管５ａの上側（＋Ｚ側）に取り付けられたときに電流検出器５５によって測定される電流について説明する。尚、電流検出器５５が環状管５ａと連結管５ｂとの結合部分に取り付けられたときに電流検出器５５によって測定される電流は、電流検出器５５が環状管５ａの上側に取り付けられたときに電流検出器５５によって測定される電流と同様であるので、その説明は省略する。
【００５８】
例えば、ＳＳＲ３が配電線１に第４の誘導性リアクタンスを付加する場合、制御装置３２は、パレットスイッチ３４１、３８１を閉とし、パレットスイッチ３６１を開とする。制御部配線３４３ａ、３８３ａに夫々電源３４２、３８２から電流Ｉａが供給される。制御部配線３６３ａには電源３６２から電流が供給されない状態となる。例えば作業員が電流検出器５５の測定スイッチ５５０ａを押した場合、電流検出器５５は、電流４Ｉａを測定して電流４Ｉａを示す制御部配線電流情報を電流検出器５５の記憶部に記憶する。例えば作業員が電流検出器５５の測定スイッチ５５０ｂを押した場合、電流検出器５５による測定は終了する。電流検出器５５は、電流４Ｉａを示す制御部配線電流情報を、例えばＵＳＢケーブルを介して例えばパソコンに送信する。例えば作業員はパソコンに送信された、電流４Ｉａを示す制御部配線電流情報を解析して、リアクトルと配電線との接続状態を判別する。
【００５９】
前述したように、制御部配線３４３ａ、３６３ａ、３８３ａは夫々、異なる巻数となるように環状管５ａに巻回される。制御部配線３４３ａ、３６３ａ、３８３ａの両端は、少なくとも連結管５ｂの例えば−Ｘ側又は例えば＋Ｘ側の端部の開口から導出される。電流測定具５では、例えば環状管５ａの上側（＋Ｚ側）を取り囲むように取り付けられた電流検出器５５によって、取り囲まれた領域を鎖交する電流を測定することができる。よって、ＳＳＲ３におけるリアクトルＬ１乃至Ｌ３と配電線１との接続状態を判別することができる。従って、ＳＳＲ３における配電線１に接続される高圧電線に電流計を取り付けることなく、ＳＳＲ３が配電線１の無効電力を調整する動作を判別することができる。そのため、上記動作を判別する作業の安全性及び作業効率を向上させることができる。
【００６０】
また、連結管５ｂの内部と環状管５ａの内部とが連結口５ｃで通じるように、連結管５ｂを環状管５ａの下側（−Ｚ側）に結合する。制御部配線３６３ａ、３８３ａは、連結管５ｂの例えば−Ｘ側の端部の開口から連結管５ｂの内部を介して環状管５ａの内部に導入される。制御部配線３６３ａ、３８３ａは夫々、異なる巻数となるように環状管５ａに巻回された後に、連結管５ｂの内部を介して連結管５ｂの例えば＋Ｘ側の端部の開口から導出される。制御部配線３４３ａは、連結管５ｂの例えば−Ｘ側の端部の開口から連結管５ｂの内部に導入される。制御部配線３４３ａは、環状管５ａに巻回されずに、連結管５ｂの例えば＋Ｘ側の端部の開口から直接導出される。電流測定具５では、例えば環状管５ａと連結管５ｂとの結合部分を取り囲むように取り付けられた電流検出器５５によって、取り囲まれた領域を鎖交する電流を測定することができる。よって、ＳＳＲ３におけるリアクトルＬ１乃至Ｌ３と配電線１との接続状態を判別することができる。従って、環状管５ａの上側とは異なる位置である、環状管５ａと連結管５ｂとの結合部分に電流検出器５５を取りつけて上記の動作を判別することができ、汎用性の高い電流測定具５を提供することができる。
【００６１】
尚、第１及び第２実施形態は、本発明の理解を容易にするためのものであり、本発明を限定して解釈するためのものではない。本発明は、その趣旨を逸脱することなく、変更、改良され得るとともに、本発明にはその等価物も含まれる。第１実施形態においては、例えば作業員が測定スイッチ５５０ａ、５５０ｂを押すことによってマニュアルで電流測定の開始及び停止を制御する電流検出器５５が電流測定具５に取り付けられる構成について説明したが、これに限定されるものではない。例えば、変電所４に設けられた制御装置（不図示）と例えば通信ネットワークを介して接続されて、電流測定の開始及び停止を変電所４の制御装置から遠隔制御できる電流検出器が電流測定具５に取り付けられる構成としてもよい。この場合、ＳＳＣ２が配電線１の無効電力を調整する動作を判別する作業を行うときに、例えば作業員をＳＳＣ２の周辺に配置する必要が無く、作業コストを抑えることができる。
【符号の説明】
【００６２】
１    配電線
２    ＳＳＣ
３    ＳＳＲ
４    変電所
５    電流測定具
５ａ  環状管
５ｂ  連結管
５ｃ  連結口
２３、２５、２７、３３、３５、３７  ＬＥＤ回路
２４、２６、２８、３４、３６、３８  スイッチ制御回路
５５  電流検出器
２３３、２４３、２５３、２６３、２７３、２８３、２３３ａ、２４３ａ、２５３ａ、２６３ａ、２７３ａ、２８３ａ、３３３、３４３、３５３、３６３、３７３、３８３、３３３ａ、３４３ａ、３５３ａ、３６３ａ、３７３ａ、３８３ａ  制御部配線
Ｃ１、Ｃ２、Ｃ３  コンデンサ
Ｌ１、Ｌ２、Ｌ３  リアクトル
Ｒ１、Ｒ２  負荷
ＳＷ１、ＳＷ２、ＳＷ３、ＳＷ４、ＳＷ５、ＳＷ６  スイッチ
【図１】
2012127926.tif 000003
【図２】
2012127926.tif 000004
【図３】
2012127926.tif 000005
【図４】
2012127926.tif 000006
【図５】
2012127926.tif 000007
【図６】
2012127926.tif 000008
【図７】
2012127926.tif 000009